(57)【要約】  本発明は、着信加入者が自分だけの個人情報を音源として、多様な方法によりリングバックトーンで送出したり、既に設定されているリングバックトーン代替音と共に多様に送出する方法、及びその装置を開示している。この方法は、着信端末機の着信交換機への登録の際、ホーム位置登録機から上記着信交換機に、上記ホーム位置登録機に既に設定されているリングバックトーン代替有無に関する第１の情報、及び音源提供手段へのルーティングのための第２の情報を提供する段階；発信端末機が上記着信端末機との通話を要請する場合、上記着信交換機で上記第１及び第２の情報に従って上記音源提供手段に呼接続を要請する段階；及び呼接続の要請を受信する場合、上記音源提供手段が上記発信端末機に呼接続し、上記着信端末機に対応して設定された特定音源を検出し、検出された特定音源を上記発信端末機に提供する段階；を含み、上記特定音源は、着信加入者を識別させるか特徴を表すことができる特定情報に関する個人情報音源と、上記着信加入者により設定されたリングバックトーン共通代替音源との組み合わせから生成されることを特徴とする。
2007523557.tif 000002
【特許請求の範囲】
【請求項１】
着信端末機の着信交換機への登録の際、ホーム位置登録機から上記着信交換機に、上記ホーム位置登録機に既に設定されているリングバックトーン代替有無に関する第１の情報、及び音源提供手段へのルーティングのための第２の情報を提供する段階；
発信端末機が上記着信端末機との通話を要請する場合、上記着信交換機から上記第１及び第２の情報に従って上記音源提供手段に呼接続を要請する段階；及び
呼接続の要請を受信する場合、上記音源提供手段が上記発信端末機に呼接続し、上記着信端末機に対応して設定された特定音源を検出し、検出された特定音源を上記発信端末機に提供する段階；を含み、
上記特定音源は、着信加入者を識別させるか特徴を表すことができる特定情報に関する個人情報音源と、上記着信加入者により設定されたリングバックトーン共通代替音源との組み合わせから生成されることを特徴とする加入者基盤のリングバックトーンサービスにおける個人情報送出方法。
【請求項２】
上記個人情報音源は、ＷＥＢ又はＷＡＰサーバーで文字情報を文字−音声変換エンジンを用いて音声に変換させたものであることを特徴とする請求項１に記載の加入者基盤のリングバックトーンサービスにおける個人情報送出方法。
【請求項３】
上記個人情報音源は、ＡＲＳを通して音声にて入力されたものであることを特徴とする請求項１に記載の加入者基盤のリングバックトーンサービスにおける個人情報送出方法。
【請求項４】
上記個人情報音源は、音声変造装置により変造されることを特徴とする請求項３に記載の加入者基盤のリングバックトーンサービスにおける個人情報送出方法。
【請求項５】
上記特定情報は、着信加入者の電話番号、氏名、別名、及び着信加入者の特性の中の少なくとも一つを含むことを特徴とする請求項１に記載の加入者基盤のリングバックトーンサービスにおける個人情報送出方法。
【請求項６】
上記組み合わせは、（個人情報音源）＋（一般のリングバックトーン）、（個人情報音源）＋（代替音源）＋（個人情報音源）、（代替音源）＋（個人情報音源）＋（代替音源）、（個人情報音源）＋（代替音源１）＋（代替音源２）＋（個人情報音源）、（個人情報音源１）＋（代替音源１）＋（個人情報音源２）＋（代替音源２）、及び（代替音源１）＋（個人情報音源１）＋（代替音源２）＋（個人情報音源２）の中の一つ以上を含むことを特徴とする請求項１に記載の加入者基盤のリングバックトーンサービスにおける個人情報送出方法。
【請求項７】
上記個人情報音源は、時間帯別に相異なる音源であることを特徴とする請求項１に記載の加入者基盤のリングバックトーンサービスにおける個人情報送出方法。
【請求項８】
上記代替音源は、時間帯別に相異なる代替音源であることを特徴とする請求項１に記載の加入者基盤のリングバックトーンサービスにおける個人情報送出方法。
【請求項９】
上記代替音源は、発信者別に区分されない基本的な代替音源、発信者別に区分される代替音源、及び時間帯別に設定した代替音源の中の少なくとも一つ以上であることを特徴とする請求項１に記載の加入者基盤のリングバックトーンサービスにおける個人情報送出方法。
【請求項１０】
発信端末機から着信端末機への呼要請の際に発信交換機からホーム位置登録機に位置情報を要請する段階；
上記着信端末機の位置情報の要請を受信する場合、上記ホーム位置登録機から着信交換機に上記着信端末機のルーティング情報を要請し、上記着信交換機からのルーティング情報と、第１及び第２の情報を上記発信交換機に提供する段階、ここで上記第１の情報は、上記着信端末機に対応して設定されたリングバックトーン代替有無に関する情報、第２の情報は、音源提供手段へのルーティングのための情報であり；
上記発信交換機から上記第１及び第２の情報に従って上記音源提供手段に呼接続を要請する段階；及び
上記呼接続の要請を受信する場合、上記音源提供手段が発信端末機と呼接続し、上記着信端末機に対応して設定された特定音源を検出し、検出された特定音源を上記発信端末機に提供する段階；を含み、
上記特定音源は、着信加入者を識別させるか特徴を表すことができる特定情報に関する個人情報音源と、上記着信加入者により設定されたリングバックトーン共通代替音源との組み合わせから生成されることを特徴とする加入者基盤のリングバックトーンサービスにおける個人情報送出方法。
【請求項１１】
上記個人情報音源は、ＷＥＢ又はＷＡＰサーバーで文字情報を文字−音声変換エンジンを用いて音声に変換させたものであることを特徴とする請求項１０に記載の加入者基盤のリングバックトーンサービスにおける個人情報送出方法。
【請求項１２】
上記個人情報音源は、ＡＲＳを通して音声にて入力されたものであることを特徴とする請求項１１に記載の加入者基盤のリングバックトーンサービスにおける個人情報送出方法。
【請求項１３】
上記個人情報音源は、音声変造装置により変造されることを特徴とする請求項１２に記載の加入者基盤のリングバックトーンサービスにおける個人情報送出方法。
【請求項１４】
上記特定情報は、着信加入者の電話番号、氏名、別名、及び着信加入者の特性の中の少なくとも一つを含むことを特徴とする請求項１０に記載の加入者基盤のリングバックトーンサービスにおける個人情報送出方法。
【請求項１５】
上記組み合わせは、（個人情報音源）＋（一般のリングバックトーン）、（個人情報音源）＋（代替音源）＋（個人情報音源）、（代替音源）＋（個人情報音源）＋（代替音源）、（個人情報音源）＋（代替音源１）＋（代替音源２）＋（個人情報音源）、（個人情報音源１）＋（代替音源１）＋（個人情報音源２）＋（代替音源２）、及び（代替音源１）＋（個人情報音源１）＋（代替音源２）＋（個人情報音源２）の中の一つ以上を含むことを特徴とする請求項１０に記載の加入者基盤のリングバックトーンサービスにおける個人情報送出方法。
【請求項１６】
上記個人情報音源は、時間帯別に相異なる音源であることを特徴とする請求項１０に記載の加入者基盤のリングバックトーンサービスにおける個人情報送出方法。
【請求項１７】
上記代替音源は、時間帯別に相異なる代替音源であることを特徴とする請求項１０に記載の加入者基盤のリングバックトーンサービスにおける個人情報送出方法。
【請求項１８】
上記代替音源は、発信者別に区分されない基本的な代替音源、発信者別に区分される代替音源、及び時間帯別に設定した代替音源の中の少なくとも一つ以上であることを特徴とする請求項１０に記載の加入者基盤のリングバックトーンサービスにおける個人情報送出方法。
【請求項１９】
着信端末機の着信交換機への登録の際、上記着信交換機に上記着信端末機のプロファイルに設定されたリングバックトーン代替有無に関する第１の情報、及び音源提供手段へのルーティングのための第２の情報を提供するためのホーム位置登録機；
上記着信端末機との通話要請を受信する場合、上記第１及び第２の情報に従って上記音源提供手段に呼接続を要請するための着信交換機；及び
上記着信交換機から呼接続の要請を受信する場合、発信端末機に呼接続し、上記着信端末機に対応して設定された特定音源を検出し、検出された特定音源を上記発信端末機に提供するための音源提供装置；を含み、
上記特定音源は、着信加入者を識別させるか特徴を表すことができる特定情報に関する個人情報音源と、上記着信加入者により設定されたリングバックトーン共通代替音源との組み合わせから生成されることを特徴とする加入者基盤のリングバックトーンサービスにおける個人情報送出装置。
【請求項２０】
上記装置は、インターネットに連結されゲートウェイを通して上記音源提供装置と通信するＷＥＢサーバーを更に含み、
上記ＷＥＢサーバーは、着信加入者により入力され、着信加入者を識別させるか特徴を表すことができる特定情報に関する文字を個人情報音源に変更するための文字−音声変換（ＴＴＳ）エンジンを含み、上記音源提供手段は、上記ＷＥＢサーバーから転送される上記個人情報音源と、着信加入者により設定されたリングバックトーン代替音源とを組み合わせて特定音源を発生させ、該特定音源をリングバックトーン代替音源として上記着信交換機を通して発信端末機に提供することを特徴とする請求項１９に記載の加入者基盤のリングバックトーンサービスにおける個人情報送出装置。
【請求項２１】
上記装置は、上記着信加入者が上記特定情報を音声にて入力するためのＡＲＳを更に含むことを特徴とする請求項１９に記載の加入者基盤のリングバックトーンサービスにおける個人情報送出装置。
【請求項２２】
上記特定情報は、着信加入者の電話番号、氏名、別名、及び着信加入者の特性の中の少なくとも一つを含むことを特徴とする請求項１９に記載の加入者基盤のリングバックトーンサービスにおける個人情報送出装置。
【請求項２３】
上記ＷＥＢサーバーは、上記個人情報音源を多様な音声に変造するための音声変造装置を更に含むことを特徴とする請求項１９に記載の加入者基盤のリングバックトーンサービスにおける個人情報送出装置。
【請求項２４】
上記音声変造装置は、上記個人情報音源を曲調に合わせて音声にて出力させることを特徴とする請求項２３記載の加入者基盤のリングバックトーンサービスにおける個人情報送出装置。
【発明の詳細な説明】
【技術分野】
【０００１】
本発明は、着信加入者の望む特定音をリングバックトーンにて提供して、既存の画一化したリングバックトーン方式を改善するための加入者基盤のリングバックトーンサービス方法及びその装置に関し、より詳しくは、着信加入者が自分だけの個人情報を音源として多様な方法でリングバックトーンにて送出したり、既に設定されたリングバックトーン代替音と共に多様に送出する方法及びその装置に関する。
【背景技術】
【０００２】
一般に、既存の移動通信網で発信者が電話通話を試みた場合、着信加入者の交換機は画一的なリングバックトーンを発信者に聞かせる方式を採択している。ところが、かかる従来のリングバックトーン方式は画一的に同じトーンを提供するため、着信者の応答があるまでは発信者が接続誤りの有無を判断できず、さらに使用者の特性に符合する様々なリングバックトーン代替サービスが提供できない問題点があった。
【０００３】
このような画一的なリングバックトーンの代りに多様な広告音を聞かせる方法が提案されているが、これも加入者の選択権無しで通信網事業者が選択した特定広告音を一括的に発信者に聞かせ、以後所定時間の無料通話を提供する方式であるため、着信者の応答があるまでは発信者が接続誤りの有無を判断することができず、しかも使用者の特性に符合する多様なリングバックトーンサービスを提供することができない。
【０００４】
本出願人と同じ出願人により２００２年２月２５日付で出願された大韓民国特許出願番号第２００２−１０００６号に、加入者基盤のリングバックトーンサービス方法及び装置が開示されている。大韓民国特許出願番号第２００２−１０００６号によれば、着信加入者が登録又は選択した音楽などのような特定音を、既存のリングバックトーンの代わりに発信者に提供することによって、着信加入者の特性に符合するリングバックトーン代替音を発信者に提供すると共に、発信者が着信者の応答前に接続誤りの有無を判断できるようにする。
【０００５】
しかし、上記の従来技術は、発信者にリングバックトーンの代りに音楽などのような代替音を提供して着信加入者の個性を表現できるという長所はあるが、代替音に共通の音源を使用するため他の加入者も同じ代替音が使用可能であり、着信加入者のリングバックトーン代替音だけでは発信者が接続誤りの有無を判断し難く、着信加入者は自分で指定して伝達しようとする情報を発信者に伝達することができないという問題点がある。
【発明の開示】
【発明が解決しようとする課題】
【０００６】
本発明の目的は、リングバックトーン代替音をもって着信加入者を表す個人情報が送出可能な加入者基盤のリングバックトーンサービスにおける個人情報転送方法及びその装置を提供することにある。
【課題を解決するための手段】
【０００７】
上記目的を達成するために、本発明の第１の観点による加入者基盤のリングバックトーンサービスにおける個人情報転送方法は、着信端末機の着信交換機への登録の際、ホーム位置登録機から上記着信交換機に、上記ホーム位置登録機に既に設定されているリングバックトーン代替有無に関する第１の情報、及び音源提供手段へのルーティングのための第２の情報を提供する段階；発信端末機が上記着信端末機との通話を要請する場合、上記着信交換機から上記第１及び第２の情報に従って上記音源提供手段に呼接続を要請する段階；及び呼接続の要請を受信する場合、上記音源提供手段が上記発信端末機に呼接続し、上記着信端末機に対応して設定された特定音源を検出し、検出された特定音源を上記発信端末機に提供する段階；を含み、上記特定音源は、着信加入者を識別させるか特徴を表すことができる特定情報に関する個人情報音源と、上記着信加入者により設定されたリングバックトーン共通代替音源との組み合わせから生成されることを特徴とする。
【０００８】
望ましくは、上記個人情報音源は、ＷＥＢ又はＷＡＰサーバーで文字情報を文字−音声変換エンジンを用いて音声に変換させたものであることができる。また、上記個人情報音源はＡＲＳを通して音声にて入力されたものであることができる。
【０００９】
また望ましくは、上記個人情報音源は音声変造装置により変造され、上記特定情報は着信加入者の電話番号、氏名、別名、及び着信加入者の特性の中の少なくとも一つを含む。
【００１０】
更に望ましくは、上記個人情報音源は時間帯別に相異なる音源であり、上記代替音源は時間帯別に相異なる代替音源である。また、上記代替音源は、発信者別に区分されない基本的な代替音源、発信者別に区分される代替音源、及び時間帯別に設定した代替音源の中の少なくとも一つ以上である。
【００１１】
本発明の第２の観点による加入者基盤のリングバックトーンサービスにおける個人情報転送方法は、発信端末機から着信端末機への呼要請の際に発信交換機からホーム位置登録機に位置情報を要請する段階；上記着信端末機の位置情報の要請を受信する場合、上記ホーム位置登録機から着信交換機に上記着信端末機のルーティング情報を要請し、上記着信交換機からのルーティング情報と、第１及び第２の情報を上記発信交換機に提供する段階、ここで上記第１の情報は、上記着信端末機に対応して設定されたリングバックトーン代替有無に関する情報、第２の情報は、音源提供手段へのルーティングのための情報であり；上記発信交換機から上記第１及び第２の情報に従って上記音源提供手段に呼接続を要請する段階；及び上記呼接続の要請を受信する場合、上記音源提供手段が発信端末機と呼接続し、上記着信端末機に対応して設定された特定音源を検出し、検出された特定音源を上記発信端末機に提供する段階；を含み、上記特定音源は、着信加入者を識別させるか特徴を表すことができる特定情報に関する個人情報音源と、上記着信加入者により設定されたリングバックトーン共通代替音源との組み合わせから生成されることを特徴とする。
【００１２】
望ましくは、上記個人情報音源は、ＷＥＢ又はＷＡＰサーバーで文字情報を文字−音声変換エンジンを用いて音声に変換させたものであることができる。また、上記個人情報音源はＡＲＳを通して音声にて入力されたものであることができる。
【００１３】
また望ましくは、上記個人情報音源は音声変造装置により変造され、上記特定情報は着信加入者の電話番号、氏名、別名、及び着信加入者の特性の中の少なくとも一つを含む。
【００１４】
更に望ましくは、上記個人情報音源は時間帯別に相異なる音源であり、上記代替音源は時間帯別に相異なる代替音源である。また、上記代替音源は、発信者別に区分されない基本的な代替音源、発信者別に区分される代替音源、及び時間帯別に設定した代替音源の中の少なくとも一つ以上である。
【００１５】
本発明の第２の観点による加入者基盤のリングバックトーンサービスにおける個人情報転送装置は、着信端末機の着信交換機への登録の際、上記着信交換機に上記着信端末機のプロファイルに設定されたリングバックトーン代替有無に関する第１の情報、及び音源提供手段へのルーティングのための第２の情報を提供するためのホーム位置登録機；上記着信端末機との通話要請を受信する場合、上記第１及び第２の情報に従って上記音源提供手段に呼接続を要請するための着信交換機；及び上記着信交換機から呼接続の要請を受信する場合、発信端末機に呼接続し、上記着信端末機に対応して設定された特定音源を検出し、検出された特定音源を上記発信端末機に提供するための音源提供装置；を含み、上記特定音源は、着信加入者を識別させるか特徴を表すことができる特定情報に関する個人情報音源と、上記着信加入者により設定されたリングバックトーン共通代替音源との組み合わせから生成されることを特徴とする。
【００１６】
望ましくは、上記装置は、インターネットに連結されゲートウェイを通して上記音源提供装置と通信するＷＥＢサーバーを更に含み、上記ＷＥＢサーバーは、着信加入者により入力される着信加入者を識別させるか特徴を表すことができる特定情報に関する文字を個人情報音源に変更するための文字−音声変換（ＴＴＳ）エンジンを含み、上記音源提供手段は、上記ＷＥＢサーバーから転送される上記個人情報音源と、着信加入者により設定されたリングバックトーン代替音源とを組み合わせて特定音源を発生させ、該特定音源をリングバックトーン代替音源として上記着信交換機を通して発信端末機に提供することを特徴とする。
【００１７】
また望ましくは、上記装置は、上記着信加入者が上記特定情報を音声にて入力するためのＡＲＳを更に含む。
【００１８】
また、上記特定情報は、着信加入者の電話番号、氏名、別名、及び着信加入者の特性の中の少なくとも一つを含む。
【００１９】
望ましくは、上記ＷＥＢサーバーは、上記個人情報音源を多様な音声に変造するための音声変造装置を更に含み、該音声変造装置は、上記個人情報音源を曲調に合わせて音声にて出力させることを特徴とする。
【発明を実施するための最良の形態】
【００２０】
以下、添付図面を参照して本発明の望ましい実施例による加入者基盤のリングバックトーンサービスにおける個人情報転送方法及びその装置についてより詳細に説明する。
【００２１】
図１は、本発明の実施例による加入者基盤のリングバックトーンサービスにおける個人情報送出装置を概略的に表した構成図である。図１を参照すると、本発明による加入者基盤のリングバックトーンサービスにおける個人情報転送装置は、ＨＬＲ１０、交換機（O_MSC/VLR、T_MSC/VLR：３１、３２）、音源提供装置（ＩＰ；Intelligent  Peripheral：５０)、音源提供制御サーバー（IP  Server：７０）、加入者データベース８０、及びＷＥＢサーバー（Web  Server：１００）を含む。
【００２２】
交換機３１、３２は、シグナリングトランスファープロトコル（Signalling  Transfer  Protocol：ＳＴＰ）基盤のＮｏ．７網２０を通してＨＬＲ１０と通信する。音源提供装置５０はＮｏ．７網２０に通信可能に連結され、ゲートウェイ（ＣＧＳ：４０）を通して交換機３１、３２と通信する。音源提供制御サーバー７０はインターネット６０を通して音源提供装置５０とデータ通信する。加入者データベース８０はインターネット６０を通してＨＬＲ１０と通信可能に連結される。ＷＥＢサーバー１００はインターネット６０を通して音源提供装置５０及び音源提供制御サーバー７０と通信可能に連結される。
【００２３】
ＨＬＲ１０は、既存の網構成要素としての機能を全て有し、本発明によって各加入者の個人リングバックトーン加入有無に関する第１の情報、及び音源提供装置５０に呼をルーティングするための第２の情報を各加入者のプロファイルに格納する。望ましくは、上記第１及び第２の情報は付加サービス加入情報として加入者のプロファイルに格納される。
【００２４】
交換機３１、３２は既存の網構成要素としての機能を全て有する。交換機３１、３２は着信加入者（端末機）の位置登録時に、本発明によってＨＬＲ１０から提供された上記第１及び第２の情報を格納する。上記着信端末機への呼接続の要請時に、交換機３１、３２は上記第１及び第２の情報に従って音源提供装置５０と通信し、音源提供装置５０からの特定音源を受信して、その受信された特定音源を上記着信端末機にリングバックトーン代替音として提供する。
【００２５】
上記特定音源は、着信加入者の電話番号、氏名、又は別名などのように、加入者を識別させるか特徴などを表すことができる区別可能な特定の情報に対応する個人情報音源、着信加入者によって該当発信者に選択されたリングバックトーン代替音としての共通代替音源（以下、代替音源という）、及びこれら代替音源を合成した音源である。
【００２６】
また、上記特定音源は、上記個人情報音源と発信者別に区分されない基本的な上記代替音源とを合成したもの、上記個人情報音源と発信者別に区分される代替音源とを合成したもの、或いは上記個人情報音源と時間帯別に設定した代替音源とを合成したものなどとすることができる。
【００２７】
ここで、音源を合成するとは、上記個人情報音源を上記代替音源の前後又はその間に挿入するなど多様に組み合わせて順次に出力することである。例えば、個人情報音源と代替音源との組み合わせは、（個人情報音源）＋（一般のリングバックトーン）、（個人情報音源）＋（代替音源）＋（個人情報音源）、（代替音源）＋（個人情報音源）＋（代替音源）、（個人情報音源）＋（代替音源１）＋（代替音源２）＋（個人情報音源）、（個人情報音源１）＋（代替音源１）＋（個人情報音源２）＋（代替音源２）、（代替音源１）＋（個人情報音源１）＋（代替音源２）＋（個人情報音源２）などのように、個人情報音源と代替音源とを組み合わせて順次配列することである。
【００２８】
音源提供装置５０は、上記特定音源を加入者別に格納して備え、ゲートウェイ４０を通して交換機３１、３２と通信し、上記格納された特定音源を交換機３１、３２に提供する。音源提供制御サーバー７０は、インターネット６０を通して音源提供装置５０と通信し、音源提供装置５０が交換機３１、３２に提供すべき特定音源の種類を、呼接続の要請された着信加入者の識別情報、これに対応する発信者の識別情報、及び/又は呼接続要請の時間帯情報に基づき、特定（例えば、種々の音源を発信者別、発信者グループ別、発信者年齢別、性別、職業別及び/又は発信時間帯別などの条件別にそれぞれ特定）する機能を有する。例えば、音源提供制御サーバー７０は、音源提供装置５０に格納された様々な特定音源に各々コードを与え、着信者が加入時又は情報変更時に発信者、発信者グループ、発信時間帯などを特定して選択し、これに対応する特定音源を設定しておけば、これに対する情報をテーブルなどとして有していて、そのテーブル情報に基づき該当音源が交換機３２に提供されるように音源提供装置５０を制御する。
【００２９】
ＷＥＢサーバー１００は、インターネット６０を通して音源提供装置５０又は音源提供制御サーバー７０に連結され、音源提供装置５０に格納された上記特定音源を追加したり、音源提供制御サーバー７０の特定音源の設定のための情報（特定発信者、発信者グループ、発信時間帯など）及びこれに対応する音源コードを変更したりするためのものであって、かかる動作は、加入者がＷＥＢサーバー１００で提供するＷＥＢページを通して行うことができる。
【００３０】
図１に示す上記装置の特定音源送出サービスの動作をより詳細に説明する。
【００３１】
本発明によって特定音源送出サービスを利用しようとする着信者が自分の属している通信事業者に申請すると、通信事業者の加入者データベース８０に登録され、その通信事業者の加入者データベース８０において網内要素であるホーム位置登録機１０にサービス登録され、該ホーム位置登録機１０は、それ自体の加入者データベースに該当サービスを設定して上記着信者を現在サービスしている交換機３１又は３２にルーティングデータを転送し、交換機３２は該当加入者サービスデータに、上記伝えられたサービス情報及びルーティングデータを格納する。
【００３２】
従って、発信加入者が該当着信加入者に呼設定を要請すると、着信交換機３２は、上記設定されたサービス情報に基づいて特定音源送出サービスが設定されていることが分かり、上記ルーティングデータを用いて音源提供装置５０へ呼接続すると同時に着信加入者に通話要請を知らせる（Paging）。この時、音源提供装置５０は、上記音源提供制御サーバー（IP  Server：７０）と連動して該当加入者が如何なる特定音源を設定したかを問い合わせし、音源提供制御サーバー７０は、加入者が設定した特定音源に関するコードを上記の問い合わせに対する応答として音源提供装置５０に提供する。音源提供装置５０は、該当コードに対する特定音源を既存のリングバックトーンに代えて送出することにより、発信加入者に着信加入者の応答があるまで音源を聴取できるようにする。着信加入者が呼を受けると、着信交換機３２は音源提供装置５０と着信加入者との間の連結を切断し、着信加入者と発信加入者との間に呼を確立する。
【００３３】
図２は、図１の装置における本発明による個人情報送出過程の一例を説明するためのフローチャートであって、着信交換機が音源提供装置５０と連動して特定音源をリングバックトーンとして発信者に転送する。
【００３４】
図２を参照すると、ある発信者が本サービスに加入した着信加入者（また、端末機）に通話を要請すると、発信交換機３１はホーム位置登録機１０に上記着信加入者の位置情報を要請する（Ｓ５０１）。
【００３５】
上記位置情報の要請を受信すると、ホーム位置登録機１０は着信交換機３２にルーティングを要請し、着信交換機３２は上記の要請に応じてホーム位置登録機１０にルーティング情報（例えば、ＴＬＤＮ(Temporary  Local  Directory  Number)）を提供する（Ｓ５０２、Ｓ５０３）。
【００３６】
ホーム位置登録機１０は上記ルーティング情報を発信交換機３１に転送し、該発信交換機３１は上記ルーティング情報に基づいて着信交換機３２にＩＳＵＰ呼接続を要請し相互の通話路を形成する（Ｓ５０４、Ｓ５０５）。
【００３７】
続いて、着信交換機３２は上記着信加入者のサービス設定情報を確認し、本発明によるサービスの加入者である場合は、ルーティング情報に基づき音源提供装置５０にＩＳＵＰ呼接続を要請して通話路を形成する。上記ＩＳＵＰ呼接続の要請時、着信電話番号及び発信電話番号も共に提供する。この時、発信交換機３１、着信交換機３２及び音源提供装置５０は、通話路が形成された状態である（Ｓ５０６）。
【００３８】
音源提供装置５０は、上記提供された着信電話番号及び発信電話番号の情報に基づき音源提供制御サーバー７０に特定音源コードを要請し、音源提供制御サーバー７０は、上記の要請に従い上記提供された着発信の電話番号に連係して指定された特定音源コードを探索し、その探索された特定音源コードを音源提供装置５０に伝達する。また、音源提供装置５０は上記伝達された特定音源コードに該当する特定音源をリングバックトーンにして、上記形成された通話路を通して発信者に転送する（Ｓ５０７、Ｓ５０８、Ｓ５０９）。
【００３９】
着信交換機３２は上述した通り、特定音源がリングバックトーンとして伝えられている内に着信加入者が電話を受けてこれを認知すると、音源提供装置５０にＩＳＵＰによって呼解除を要請して音源提供装置５０が呼を解除するようにし、これと同時に発信交換機３１と相互形成された通話路を通して発信者と着信加入者との間で通話がなされるようにする（Ｓ５１０、Ｓ５１１）。
【００４０】
図３は、図１の装置における本発明による個人情報送出過程の他の例を説明するためのフローチャートであって、発信交換機が音源提供装置５０と連動して特定音源をリングバックトーンとして発信者に転送する。
【００４１】
図３を参照すると、ある発信者が本サービスに加入した着信加入者（また、端末機）に通話を要請すると、発信交換機３１はホーム位置登録機１０に上記着信加入者の位置情報を要請する（Ｓ６０１）。
【００４２】
上記位置情報の要請を受信すると、ホーム位置登録機１０は着信交換機３２にルーティング情報を要請し、着信交換機３２は上記要請に対してホーム位置登録機１０にルーティング情報（例えば、ＴＬＤＮ（Temporary  Local  Directory  Number））でもって応答する（Ｓ６０２、Ｓ６０３）。
【００４３】
ホーム位置登録機１０はルーティング情報を発信交換機３１に転送し、発信交換機３１は上記ルーティング情報に従い着信交換機３２にＩＳＵＰ呼接続を要請して相互通話路を形成する（Ｓ６０４、Ｓ６０５）。
【００４４】
次いで、着信交換機３２は上記着信加入者のサービス設定情報を確認し、上記着信加入者が本発明によるサービスの加入者である場合は、ルーティング情報に基づき音源提供装置５０にＩＳＵＰ呼接続を要請して通話路を形成する。上記ＩＳＵＰ呼接続の要請時には、着信電話番号及び発信電話番号も共に提供される。従って、発信交換機３１、着信交換機３２及び音源提供装置５０は通話路が形成された状態である（Ｓ６０６）。
【００４５】
音源提供装置５０は、上記提供された着信電話番号及び発信電話番号の情報に基づき音源提供制御サーバー７０に特定音源コードを要請し、音源提供制御サーバー７０は、上記の要請に従い上記提供された着発信電話番号に連係して指定された特定音源コードを探索し、その探索された特定音源コードを音源提供装置５０に伝達する。続いて、音源提供装置５０は上記伝達された特定音源コードに該当する特定音源をリングバックトーンにして、上記形成された通話路を通して発信者に転送する（Ｓ６０７、Ｓ６０８、Ｓ６０９）。
【００４６】
発信交換機３１は、上述した通り、特定音源がリングバックトーンとして伝えられている内に着信加入者が電話を受けてこれを認知すると、音源提供装置５０にＩＳＵＰによって呼解除を要請して音源提供装置５０が呼を解除するようにし、これと同時に着信交換機３２と相互形成された通話路を通して発信者と着信加入者との間で通話がなされるようにする（Ｓ６１０、Ｓ６１１）。
【００４７】
図４は、本発明による個人情報送出方法において個人情報音源を登録する過程の一例を説明するためのフローチャートである。図４を参照すると、本発明による個人情報音源を登録するために、着信加入者が個人用コンピュータ（ＷＥＢブラウザー）又はＰＤＡを用いて有無線の通信網（又は、インターネット）を通して本サービスの供給者のＷＥＢ又はＷＡＰサーバー１００に接続する（７００）。
【００４８】
次いで、上記着信加入者は、上記ＷＥＢ又はＷＡＰサーバー１００から提供された個人情報入力ページ（図示せず）に個人情報の音源として使用しようとする情報（例えば、文字）を入力する（７１０）。ここで個人情報とは、電話番号、及び／又は氏名、又は別名のように、着信加入者を識別させるか特徴などを表すことができる情報を意味する。
【００４９】
次に、上記ＷＥＢ又はＷＡＰサーバーは、上記入力された文字情報を文字−音声変換（ＴＴＳ）エンジンを用いて音声に変換させ、この変換された音声を個人情報音源として音源提供サーバー５０に提供する（７２０、７３０）。
【００５０】
上記文字−音声変換（ＴＴＳ）エンジンは、上記ＷＥＢ又はＷＡＰサーバー内に設置するか、又は別途のサーバーで具現できることを当業者ならば理解するはずである。また、上記文字−音声変換（ＴＴＳ）エンジンによって本発明が限定されないことも当業者ならば理解するはずである。
【００５１】
音源提供装置５０は、既存のリングバックトーン代替音源だけを送出する加入者なのか、或いは上記個人情報音源と代替音源とを合成した特定音源を送出する加入者なのかを区分して上記音源を格納し、また上記特定音源を送出する時間帯別に区分して格納することができる（７４０）。
【００５２】
また、段階７００乃至段階７２０において、特定音源送出サービスを利用しようとする着信加入者が、ＷＥＢ又はＷＡＰサーバー１００を用いることなく通信事業者が運営するＡＲＳ（自動応答システム）を通して音声で自分の個人情報を音源提供サーバー５０に提供することもできる。
【００５３】
尚、上記ＷＥＢ又はＷＡＰサーバー１００を通して文字にて入力された情報を文字−音声変換（ＴＴＳ）エンジンを用いて変換された個人情報音源と上記ＡＲＳを通して入力された個人情報音源は、音声変造装置（図示せず）を用いて音声変造することができる。上記音声変造装置は、上記個人情報音源を子供、老人、男性又は女性など各種の音声に変造できる。また、上記音声変造装置は、芸能人や有名人の音声への変造も可能である。更に、上記文字−音声変換（ＴＴＳ）エンジンによって変換された音源は、上記音声変造装置で提供する曲調に合わせて出力され得る。このように、上記音声変造装置により変造された多様な音源は、個人情報音源として提供されることができる。
【００５４】
従って、上記文字−音声変換（ＴＴＳ）エンジンを用いて単調な機械音の代りに多様な音源を提供し、ＡＲＳを通して入力した自分の音声も多様な音色や音声に変造して提供することが可能なため、利用者には多様な音源が提供できる。
【００５５】
以上、本発明によれば、加入者基盤のリングバックトーンサービスの際、着信加入者を識別させるか特徴などを表すことができる、区別される特定の情報に関する個人情報音源と、リングバックトーン代替音として着信加入者により選択された共通代替音源（代替音源）との組み合わせ、又はこれらの順次配列によって発信者にリングバックトーン代替音として提供することにより、着信加入者の正体性（Identity）を発信者に効果的に知らせることができる。また、加入者は個人広報サービスを発信者に提供できるため、法人加入者には自社広報の機会が与えられる。
【００５６】
また、音声変造装置を用いると、より多様な音源が発信者に提供でき、サービス事業者としては着信加入者又は発信者のより多様な欲求を満たせるようになる。
【００５７】
以上、説明したように、本発明によれば、使用者が直接マルチメディアコンテンツを製作し有無線通信網を通して転送するようにするマルチメディアコンテンツ製作転送方法及びそのシステムを実現できるようになる。
【００５８】
本発明を上記実施例により具体的に説明したが、本発明はこれに限定されるものではなく、当業者の通常の知識範囲内で変形や改良が可能である。
【図面の簡単な説明】
【００５９】
【図１】本発明の実施例による加入者基盤のリングバックトーンサービスにおける個人情報送出装置を概略的に表した構成図である。
【図２】本発明による個人情報送出方法の一例を説明するためのフローチャートである。
【図３】本発明による個人情報送出方法の別の例を説明するためのフローチャートである。
【図４】本発明による個人情報送出方法において個人情報音源を登録する過程の一例を説明するためのフローチャートである。
【図１】
2007523557.tif 000003
【図２】
2007523557.tif 000004
【図３】
2007523557.tif 000005
【図４】
2007523557.tif 000006
【国際調査報告】
2007523557.tif 000007
2007523557.tif 000008